(57)【要約】【課題】簡易な構成のページめくり装置を提供する。【解決手段】ページめくり装置１は、本を見開きの状態でセットするベース２０と、ベース上に、見開きの状態の本の閉じ部の上側に一部が重複するように配置された、円または多角形の輪郭を備え、周辺の一部が切り欠かれたページ送り部材３０と、ベース上、見開き状態の本の一方のページ１１の端近傍に接するように配置された紙送り部材４０と、ページ送り部材と紙送り部材とを連動して動かす駆動機構５０とを含む。このページめくり装置は、紙送り部材によりページを送り、そのページの閉じ部の膨らんだ箇所１５にページ送り部材の切り欠かれた部分３２が係合するようにページ送り部材を回転させ、さらに、ページ送り部材を回転させることによりページをめくる駆動機構とを有する、ページめくり装置。【選択図】図１
2020189418.tif 000002
【特許請求の範囲】
【請求項１】
本を見開きの状態でセットするベースと、
前記ベース上に、見開きの状態の本の閉じ部の上側に一部が重複するように配置された、円または多角形の輪郭を備え、周辺の一部が切り欠かれたページ送り部材と、
前記ベース上に、見開き状態の本の一方のページの端近傍に接するように配置された紙送り部材と、
前記ページ送り部材と前記紙送り部材とを連動して動かす駆動機構であって、前記紙送り部材によりページを送り、そのページの閉じ部の膨らんだ箇所に前記ページ送り部材の前記切り欠かれた部分が係合するように前記ページ送り部材を回転させ、さらに、前記ページ送り部材を回転させることによりページをめくる駆動機構とを有する、ページめくり装置。
【請求項２】
請求項１において、
前記ページ送り部材は、前記切り欠かれた部分と反対側にページを押さえるように突き出た部分を含む、ページめくり装置。
【請求項３】
請求項１または２において、
前記紙送り部材は、ページに接する粘着性の面を含む、ページめくり装置。
【請求項４】
請求項１ないし３のいずれかにおいて、
前記ベースは、本の表紙および裏表紙の位置を固定する部分を含む、ページめくり装置。
【請求項５】
請求項１ないし４のいずれかにおいて、
前記駆動機構は、前記ページ送り部材を回転させるモーターと、前記ページ送り部材の回転により前記紙送り部材を左右に動かすリンクとを含む、ページめくり装置。
【請求項６】
ページめくり装置を用いて本のページをめくる方法であって、
前記ページめくり装置は、本を見開きの状態でセットするベースと、前記ベース上に、見開きの状態の本の閉じ部の上側に一部が重複するように配置された、円または多角形の輪郭を備え、周辺の一部が切り欠かれたページ送り部材と、前記ベース上に、見開き状態の本の一方のページの端近傍に接するように配置された紙送り部材と、前記ページ送り部材と前記紙送り部材とを連動して動かす駆動機構とを有し、
当該方法は、前記紙送り部材によりページを送ることと、
そのページの閉じ部の膨らんだ箇所に前記ページ送り部材の前記切り欠かれた部分が係合するように前記ページ送り部材が回転することと、さらに、
前記ページ送り部材が回転することによりページをめくることとを有する、方法。
【発明の詳細な説明】
【技術分野】
【０００１】
本発明は、絵本などのページをめくる装置および方法に関するものである。
【背景技術】
【０００２】
特許文献１には、先端が自己粘着性のピックアップと、ピックアップを上下に動かしてページを分離する駆動装置であって、台の上で開いた状態の本のページの一部にピックアップの先端を押し付けた後に引き上げる駆動装置と、ピックアップにより引き上げられたページを搬送する搬送体を台に沿って移動する移動装置とを有するページめくり装置が開示されている。
【先行技術文献】
【特許文献】
【０００３】
【特許文献１】国際公開公報ＷＯ２０１６／２０８７４０号公報
【発明の概要】
【発明が解決しようとする課題】
【０００４】
絵本のページなどをめくるのに適したさらに簡易な構成のページめくり装置が要望されている。
【課題を解決するための手段】
【０００５】
本発明の一態様は、本を見開きの状態でセットするベースと、ベース上に、見開きの状態の本の閉じ部の上側に一部が重複するように配置された、円または多角形の輪郭を備え、周辺の一部が切り欠かれたページ送り部材と、ベース上に、見開き状態の本の一方のページの端近傍に接するように配置された紙送り部材と、ページ送り部材と紙送り部材とを連動して動かす駆動機構とを有するページめくり装置である。駆動機構は、紙送り部材によりページを送り、そのページの閉じ部の膨らんだ箇所にページ送り部材の切り欠かれた部分が係合するようにページ送り部材を回転させ、さらに、ページ送り部材を回転させることによりページをめくるように、ページ送り部材と紙送り部材とを連動して動かす。ページ送り部材は、切り欠かれた部分と反対側にページを押さえるように突き出た部分を含んでもよい。
【０００６】
このページめくり装置において、ページ送り部材は、円形または多角形の輪郭を備えており、切り欠かれた部分でページを送るとともに、他の部分の少なくとも一部が次のページに接し、ページが重ねてめくられることを抑制できる。さらに、切り欠かれた部分でページが送られた後（めくられた後）は、ページ送り部材の他の部分の少なくとも一部が、めくられたページに接し、めくられたページが戻ったりすることを抑制できる。また、ページ送り部材は、本の閉じ部の上側（天側）に一部が重複するように配置されており、ページ送り部材が重複する部分は、通常、文字あるいは絵などの情報を含まない余白となる。このため、ページ送り部材が本を読む際の障害とはなりにくい。
【０００７】
紙送り部材は、ページに接する粘着性の面を含んでもよい。粘着性の面でページの一部に接して（密着して）紙送りすることにより本の閉じ部（境界部、のど部）に膨らみを作り、ページ送り部材の切り欠かれた部分が係合できるように閉じ部の近傍の状態を制御できる。次に、ページ送り部材によりページが送られると、めくられたページが紙送り部材から引きはがされ、紙送り部材が障害とならずにページをめくることができる。
【０００８】
ベースは、本の表紙および裏表紙の位置を固定する部分を含んでもよい。駆動機構は、ページ送り部材を回転させるモーターと、ページ送り部材の回転により紙送り部材を左右に動かすリンクとを含んでもよい。駆動機構は、棒やベルトなどで動きをリンクしてもよく、ページ送り部材および紙送り部材をそれぞれ動かすモーターを含み、それらのモーターを動きがリンクするように制御してもよい。
【０００９】
本発明の他の態様の１つは、ページめくり装置を用いて本のページをめくる方法である。ページめくり装置は、本を見開きの状態でセットするベースと、ベース上に、見開きの状態の本の閉じ部の上側に一部が重複するように配置された、円または多角形の輪郭を備え、周辺の一部が切り欠かれたページ送り部材と、ベース上に、見開き状態の本の一方のページの端近傍に接するように配置された紙送り部材と、ページ送り部材と紙送り部材とを連動して動かす駆動機構とを有する。当該方法は、以下のステップを含む。
１．紙送り部材によりページを送ること。
２．そのページの閉じ部の膨らんだ箇所にページ送り部材の切り欠かれた部分が係合するようにページ送り部材が回転すること。
３．ページ送り部材が回転することによりページをめくること。
【図面の簡単な説明】
【００１０】
【図１】ぺージめくり装置の概要を示す斜視図。
【図２】ページめくり装置の概要を示す、後ろから見た斜視図。
【図３】ページめくり装置に絵本をセットした状態を示す図。
【図４】ページめくりを開始した状態を示す図。
【図５】ぺージめくりを開始し、ページ送り部材が旋回した状態を示す図。
【図６】ページ送り部材の切り欠きが紙送り部材により膨らんだ箇所と係合した状態を拡大して示す図。
【図７】ページが分離され、めくられる状態を示す図。
【図８】ページが分離され、めくられる状態を示す斜視図。
【図９】ページがめくられた状態を示す斜視図。
【発明を実施するための形態】
【００１１】
図１に、ページめくり装置の一例を前方から見た様子を示し、図２に、ページめくり装置を後方から見た様子を示し、図３に、ページめくり装置に、本を見開き状態でセットした様子を示している。
【００１２】
ページめくり装置１は、本、例えば絵本１０を見開きの状態でセットするベース（本立て）２０と、ベース２０の上に、見開きの状態の絵本１０の閉じ部１５の上側（天側）１９に一部が重複するように配置されたページ送り部材３０と、ベース２０の上に、見開き状態の絵本１０の一方のページ１１の端（小口）１６の近傍に接するように配置された紙送り部材４０と、ページ送り部材３０と紙送り部材４０とを連動して動かす駆動機構５０とを含む。
【００１３】
ベース２０は、絵本１０を見開きの状態で支持する板状の支持板２１と、支持板２１の下側から表面２８の側に突き出て、絵本１０の下側（地側）１８を支持する底板２２と、絵本１０の表紙および裏表紙の位置を固定するための左右の表紙押さえ２３と、支持板２１の角度を調整する角度調整板２５とを含む。表紙押さえ２３は支持板２１の表面２８の両側に配置されており、角度調整板２５は支持板２１の裏面２９に設けられている。ベース２０は、全体を木製あるいは樹脂製の板を用いて形成できる。金属製であってもよい。
【００１４】
ページ送り部材３０は、全体が円または多角形の輪郭３１を備えた円盤状の可撓性または弾力性のある部材であり、周辺の一部に切り欠かれた部分（切り欠き）３２を含む。ページ送り部材３０は、中心３９を中心として回転するようにベース２０の支持板２１の上部に取り付けられている。ページ送り部材３０の一例は、可撓性のゴムまたは合成樹脂、例えば、塩化ビニル樹脂である。回転するページ送り部材３０の表面３３には、花、動物、星などの模様が施されていてもよい。ページ送り部材３０の裏面３４の切り欠き３２と反対側にはページを押さえるように突き出た突起またはリブ３５が設けられていてもよい。本例のページ送り部材３０はシャフト５２を介して、支持板２１の裏面２９に設けられた駆動機構５０のモーター５１に接続されている。シャフト５２は、支持板２１の表面２８に設けられた固定板５３により支持板２１に回転可能に取り付けられている。
【００１５】
紙送り部材４０は、棒状あるいは板状の部材であり、上側に旋回の中心４９があり、ベース２０の支持板２１の上部の端側に、紙送り部材４０の下側が、絵本１０のページ１１の端側、本例では左端の上側に接して旋回可能なように取り付けられている。紙送り部材４０の下側裏面のページ１１に接する部分には粘着性の面４５が設けられている。粘着性の面４５の一例はエラストマ（ゴム）が貼り付けられた面である。紙送り部材４０は、旋回の中心４９に加圧用のスプリング４２が設けられており、紙送り部材４０の下側４８に接続された駆動機構５０のリンク棒５５によりページ１１に粘着性の面４５を押しつけた状態で旋回するようになっている。
【００１６】
ページ送り部材３０と、紙送り部材４０とを連動して動かす駆動機構５０は、ページ送り部材３０を、中心３９を中心に回転するモーター５１と、ページ送り部材３０の中心３９に対して偏心した位置３８に取り付けられたリンク棒５５とを含む。リンク棒５５は、ページ送り部材３０が回転すると紙送り部材４０の下側４８を左右に動かす。
【００１７】
図３ないし図９を用いて、ページめくり装置１により絵本１０のページをめくる方法（動作）を説明する。
【００１８】
図３は、絵本１０がページめくり装置１にセットされた状態を示す。ページ送り部材３０は、見開きの状態の絵本１０の閉じ部１５の上側１９の余白１７ｂの部分に一部が重複するように配置され、紙送り部材４０は、見開き状態の絵本１０の一方のページ１１の端１６の近傍の余白１７ｂに接するように配置され、さらに、リンク部材５５もページ送り部材３０と紙送り部材４０とを接続するように絵本１０の上側（天側）１９の余白１７ｂに配置される。したがって、ページめくり装置１の各機構は、ベース２０にセットされた絵本１０のコンテンツ１７ａと重なることはなく、絵や文字、文章を含むコンテンツ１７ａを読んだり、見たりする際の障害となることはない。
【００１９】
図４に、絵本１０のページ１１および１２を読み終わって、ページをめくるためにスイッチ（不図示）を押して、ページ送り部材３０および紙送り部材４０を連動して動かし始めた状態を示している。スイッチは、絵本１０を読むユーザーの手元に有線または無線により繋がったリモートコントロール用の端末に含まれていてもよく、ページめくり装置１に設けられていてもよく、スマートフォンなどの端末から操作できるようになっていてもよい。
【００２０】
ページめくり装置１において、めくり動作が開始されると、駆動機構５０のモーター５１がページ送り部材３０を回転させる。本例においては、図４に示すように、左側から右側にページを送る絵本１０がセットされており、ページ送り部材３０は、モーター５１により、前方から見て反時計方向に回転される。ページ送り部材３０が回転すると、ページ送り部材３０の偏心した位置３８に取り付けられたリンク棒５５が右側に動き、紙送り部材４０が右側に旋回し、粘着性の面４５が右側に動く。粘着性の面４５は、絵本１０の左側のページ１１の左端上側に押しつけられており、粘着性の面４５の動きにより左側のページ１１の左上側が右側に押し引っ張られる。この動作とページ１１の紙の腰により、左側のページ１１が次のページ１３から分離され、ページ１１の閉じ部１５の側が表面に向かって撓んで膨らむ。
【００２１】
図５に示すように、ページ送り部材３０が反時計方向に回転すると、上側にあった切り欠き（切り欠かれた部分）３２が左下側に移動する。このため、図６に拡大して示すように、左側のページ１１の閉じ部１５の側の撓んだ（膨らんだ）部分１５にページ送り部材３０の切り欠き３２がはまり、係合する。
【００２２】
図７および図８に示すように、ページ送り部材３０が反時計方向にさらに回転すると、切り欠き３２が反時計方向、即ち右側に移動する。これとともに、切り欠き３２と係合した左側のページ１１が右側に引っ張られ、右側へめくられる。この際、リンク棒５５の可動範囲は限られているので、紙送り部材４０の旋回可能な範囲も限定される。左側のページ１１が右側に引っ張られて、その端が紙送り部材４０の粘着性の面４５の可動範囲を超えると、粘着性の面４５に対してページ１１がスライドし、粘着性の面４５に対してせん断方向の力が働く。このため、容易にページ１１が粘着性の面４５から解放される。一方、左側の次のページ１３は、前のページ１１と分離されており、切れ込み３２により引っ張られないので、紙送り部材４０により押さえられる。このため、下のページ１３が上のページ１１とともに、ページめくりされること（重送されること）を防止できる。
【００２３】
また、ページ送り部材３０は、切り欠き３２が設けられた外周が円形または多角形の円盤状の部材であり、可撓性の素材により形成されている。このため、図６に示したように、切り欠き３２がページ１１の膨らんだ部分１４にはまった後に、ページ送り部材３０がさらに回転すると、ページ１１の紙の腰あるいは抵抗に対して、切り欠き３２の周辺のページ送り部材３０が変形し、ページ１１の形状にフィットするとともに、ページ１１に当たる（接する）面積が増加する。このため、ページ１１にページ送りするための十分な力を分散して与えることが可能となり、絵本１０の各ページを傷めずに、確実にページめくりすることができる。
【００２４】
また、ページ送り部材３０は、切り欠き３２が設けられた円盤状なので、切り欠き３２がページ１１の膨らんだ部分１４と係合すると、それに続いて、ページ送り部材３０の円盤状の他の部分が、ページ１１の膨らんだ部分１４、すなわち、ページ１１と、その後のページ１３との間に侵入する。このため、ページ送り部材３０は、ページ１１を送るとともに、めくる対象のページ１１と、その後のページ１３とを分離する機能を含む。
【００２５】
図９に示すように、ページ送り部材３０が反時計方向にさらに回転すると、切り欠き３２がページ１１を右側に送り終わった後に、上側に退避する。それとともに、ページ送り部材３０の切り欠き３２と反対側の裏面に設けられた紙押さえ３５が、めくり終わったページ１１の裏面に接してページ１１を右側へ押しつける。このため、めくり終わったページ１１が左側へ跳ね返るのを防止できる。また、ページ送り部材３０により、めくり終わったページ１１を含めてベース２０の上に、左右のページ１３および１１を押しつけることができ、それらのページ１１および１３の歪みを抑制して、それらのページ１１および１３に表示されているコンテンツを読みやすい状態に保つことができる。このように、ページ送り部材３０は、ページを送る機能と、ページを分離する機能とに加えて、めくったページを押さえて読みやすく絵本１０をベース２０に維持する機能とを含む。
【００２６】
この段階でページめくりが終了し、ページが入れ替わるが、図３に示した状態となり、ページめくり装置１は、次のページめくりの開始の指示を待つ。
【００２７】
このように、ページめくり装置１は、ページめくりの指示があると、紙送り部材４０により、めくる対象のページ１１を送って、そのページ１１の閉じ部１５の近傍に膨らんだ箇所（膨らんだ部分）１５を形成する。紙送り部材４０の動きに連動して、ページ送り部材３０を回転し、ページ１１の膨らんだ箇所１５に、ページ送り部材３０の切り欠き（切り欠かれた部分）３２を係合させる。さらにページ送り部材３０を回転することにより、めくる対象のページ１１を反対側に移動させることができ、絵本１０のページを一枚ずつめくることができる。
【００２８】
ページめくり装置１は、本立て（ベース）２０の中央上部に設けられた円盤状のページ送り部材３０と、左側上部に設けられた紙送り部材４０と、これらを連動して動かす駆動機構５０との極めてシンプルな構成となっており、完成品としてユーザーに提供してもよく、部品を供給してユーザーが組み立てるキットとして提供してもよく、いずれの製品であっても低コストで提供することが可能である。また、このページめくり装置１は、円盤状で切り欠き３２が設けられたページ送り部材３０により、ページめくりする対象のページ１１を押しながら、かつ、後ろのページ１３と分離しながらページめくりするので、ページを構成する紙が厚く、腰のつよい絵本１０などの特殊な本であっても、確実にページめくりすることができる。
【００２９】
なお、この例では、ページを右送りする例を説明しているが、左送りする場合は、紙送り部材４０の位置を右側に移し、ページ送り部材３０を時計方向に回すことで対応できる。したがって、左送りおよび右送りのいずれにも対応できるようにページ送り装置１を構成したり、紙送り部材４０が左右に差し替えられるように構成してもよい。また、本例では、ページ送り部材３０と紙送り部材４０とをリンク５５により接続し、連動して動くようにしているが、ページ送り部材３０および紙送り部材４０をそれぞれ独立したアクチュエータ、例えば、モーターにより連動するように駆動してもよく、リンク棒５５の代わりにタイミングベルトなどの他の手段で駆動力を与えるものであってもよい。
【符号の説明】
【００３０】
１  ページめくり装置、  ２０  ベース（本立て）
３０  ページ送り部材、  ４０  紙送り部材、  ５０  駆動機構
【図１】
2020189418.tif 000003
【図２】
2020189418.tif 000004
【図３】
2020189418.tif 000005
【図４】
2020189418.tif 000006
【図５】
2020189418.tif 000007
【図６】
2020189418.tif 000008
【図７】
2020189418.tif 000009
【図８】
2020189418.tif 000010
【図９】
2020189418.tif 000011